(57)【特許請求の範囲】
【請求項１】
寝床面で排泄に使用するトイレ容器を患者が寝たまま股間に着脱可能に形成し、床面上には移動自在にユニット台車を設置し、前記ユニット台車の上部には、股間に相当した形状の当接ブロックを形設したトイレ容器の装着保管装置を設備し、また前記ユニット台車の下部には、前記トイレ容器から排泄物を吸引回収するインジェクション方式の吸引回収ユニットと、前記トイレ容器に温水と泡洗浄液を送給して器官と容器を洗浄する器官洗浄ユニットと、温風を送給して乾燥する器官乾燥ユニットを集積した収納庫を設備し、また前記各ユニットと前記トイレ容器に開口された連通穴との間を接続する各専用配管は、一本の可撓性の多重管に内包されて構成されていて、患者が自力で前記トイレ容器を装着し、またリモコンスイッチによる遠隔操作で前記各ユニットを順次作動して使用し、また使用後に前記トイレ容器をユニット台車に装着保管し、汚れが残ったときは、補足的な洗浄及び乾燥を可能とした構成を特徴とする自力真空水洗トイレ。
【請求項２】
寝床面を移動自在の支持フレームが設けられ、前記支持フレームの中央溝部には箱状のスライドトレーが摺動自在に載置され、また前記スライドトレーには寝たままの患者が使用するトイレ容器が支承されて構成され、また前記トイレ容器は、股間に上方から当接する固形のフロントガード部と下方から当接する固形の器底部の二部体からなって、上方のフロントガード部は前記スライドトレーの左右の側壁に軸支され、また下方の器底部は上方のフロントガード部に枢着されながら、上方のフロントガード部との間を折り目状のひだ部で一体に繋いで、上下の二部体を開閉可能で、かつ前方を楕円状に開口した受け容器状に形成すると共に、前記楕円状の開口部には環状のシール材を貼設し、また下方の器底部には排出用、送水用及び送風用の連通穴を開口させて形成し、また前記支持フレームの左右の端部には、患者の左右の大腿部を保持させる大腿部スタビライザと腰部を浮揚させるエアリフト構造の身体確保ユニットが対設されていて、患者が寝たまま好適に装着可能とした構成を特徴とする自力真空水洗トイレのトイレ容器。
【請求項３】
スライドトレーの支軸部と支承されたトイレ容器のフロントガード部との間に、エアレリース弁による解除機構を付設した、ラチェット式の一方向閉動機構が介設されていて、上方のフロントガード部を一方向閉動させて、下方の器底部との間で股間を強制的に挟み付けて装着する構成を特徴とする請求項２に記載の自力真空水洗トイレのトイレ容器。
【発明の詳細な説明】
【０００１】
【発明の属する技術分野】
本発明は、寝たままの患者が使用する便器の分野に属し、詳しくは使用者が寝たまま、自力で、トイレ容器を股間に装着可能で、使用時はリモコンスイッチによりトイレ容器内の排泄物の真空吸引回収から排泄器官（以下器官という）と容器の洗浄、乾燥まで順次に遠隔操作可能で、使用後は洗浄及び乾燥を完了したトイレ容器を股間から離脱して、移動自在のユニット台車に装着保管可能なごとく形成された自力真空水洗トイレの分野に属する。
【０００２】
【従来の技術】
寝たままで排泄の始末に看護人を必要とする患者は、足の骨折により身動きのできない患者から、重症で寝たっきりの患者に至るまでいろいろとあるが、従来からの排泄の処理手段としては原始的な便器や尿瓶を使用するか、紙おむつを着用することであった。
【０００３】
しかしこれらの排泄の処理手段は看護人の助けを必要とし、また原始的で、患者の尊厳や自立心に対して配慮に欠け、また臭気の漏洩により周囲に迷惑を掛ける等の問題点を有していた。またこれらの理由から安静を必要とする患者が無理して便所に行って、治癒を遅らす問題点もあった。既にこれらの状況に対していくつかの提案がなされていて、例えばベッドに穴を空け、洗浄及び乾燥の機能を有する水洗便器を一体に組み込んだ便器付き介護用ベットの提案（特許第２００５８４２号）があるが、大きな設備が必要で、誰もが簡易に使用できるものではなく、寝たまま自力で排泄可能な患者の要求に十分応える処理手段は存在していなかった。
【０００４】
【発明が解決しようとする課題】
寝床についてはいるが、自分の意思と力で排泄可能な患者を対象とし、従来の処理手段の患者の尊厳や自立心に対する配慮に欠けた性能を補完し、コンパクトで、自力で簡易に使用でき、器官と容器の洗浄、乾燥により清潔で、臭くなく、環境に快適であり、安全で、保守が容易で、再使用が可能であるなど、患者が快適に使用できる性能を有する処理手段の提供が本発明の解決課題となる。
【０００５】
【課題を解決するための手段】
上記課題の解決手段として、本発明は下記の各種機能を発揮するユニットを組合せて構成した、自力真空水洗トイレを提供しようとするものである。
（１）トイレ容器としては、使用者に通常の器官の洗浄、乾燥という水洗便器の機能を提供するだけでなく、排泄物の吸引回収、器官と併せて容器の洗浄、乾燥の可能な機能を加えた快適な使用環境に適した機能を提供する。
（２）排泄物の回収ユニットに圧縮空気を利用したインジェクション方式を採用して、トイレ容器から排泄物を真空吸引により回収する。
（３）排泄物の回収ユニットに着脱可能な回収ボトルと満杯センサを用いる。
（４）器官洗浄ユニットとして、使用者に快適な温水洗浄と泡洗浄を用いる。
（５）器官乾燥ユニットとして、温風による乾燥機能を備え、洗浄された器官と容器を乾燥させる。
（６）寝たままの使用者に本発明トイレの各種機能を使い易くするため、リモコンスイッチにより遠隔操作可能にする。
【０００６】
（７）トイレ容器としては、開閉可能な固形の二部体の間を折り目状のひだ部で繋いで、開閉可能に前方を開口した受け容器という特徴的な形状に形成すると共に、その開口部に環状のシール材を貼設し、使用者が簡易に着脱できる機能に加え、股間に気密に強制装着できる機能をも備える。
（８）使用者が股間へトイレ容器を装着し易くするため、その支持フレームに腰部を浮揚させるエアリフト構造の身体確保ユニットと、左右大腿部を保持させる大腿部スタビライザを備えた身体接触ユニットを提供する。
（９）外部への排気は脱臭ユニットを通して行なうようにして快適な使用環境を提供する。
（１０）トイレ容器とユニット台車の間に接続された各ユニットの専用配管は、可撓性の多重管に一つに束ねて内包し、装置の操作をし易くする。
（１１）圧縮空気源として、ユニット台車に高圧空気ボンベ又はコンプレッサを収納して装置を簡易化する。
（１２）使用後のトイレ容器に対しては、ユニット台車の保管装置においても補足的な洗浄及び乾燥を可能にし、常に清潔で供用可能な状態にして保管する。
【０００７】
【発明の実施の形態】
以下、図面により本発明の実施の形態を説明する。
本発明の自力真空水洗トイレ１は、外観的には、図７の全体構成斜視図に示されるごとく、使用者Ａが股間Ｃに装着して排泄に使用するための、支持フレーム５に支持されたトイレ容器（図１）と、使用後に前記トイレ容器２を装着保管するユニット台車３（図６）と、前記トイレ容器２とユニット台車３との間を接続する各ユニットの専用配管を一つに束ねて内包した多重管１５（図９）とから構成される。
【０００８】
図１に示すごとく、本装置１の要部であるトイレ容器２は、寝床面４６（図１２）に移動自在に置かれた支持フレーム５に支持される。詳しくは、軽量の支持フレーム５の中央溝部６２に、長い箱状のスライドトレー６１が摺動自在に載置され、そのスライドトレー６１の左右の側壁に突設された支軸８７（図５）（図２）、にトイレ容器２の上方の固形部体であるフロントガード部６４が開閉可能に支承されている。図５において、８８はフロントガード部６４の軸受部である。
【０００９】
また前記トイレ容器２は、股間Ｃに上方から当接する凹状固形プラ体のフロントガード部６４と、下方から当接する凹状固形プラ体の器底部６５の二部体を具設し、その器底部６５は、図２の側面図に点線で図示されたごとく、枢着ピン６８を介してフロントガード部６４に開閉自在に枢着されている。図２において、８９はフロントガード部６４が開いた時の状態を示し、９０は器底部６５が開いた時の状態を示す。
【００１０】
また前記トイレ容器２は図３に示すごとく、開閉するフロントガード部６４と器底部６５の上下二部体の間を、ゴム布地で折り目状のひだ部６６を介して一体に繋がれており、前記上下二部体６４、６５が開閉可能で、前方が楕円状に開口され、両側及び後方がひだ部６６で閉じられた、漏水の恐れがない受け容器の形状に形成されている。またその楕円状の開口部１０には環状のシール材２６が貼設されていて、トイレ容器２を股間Ｃに気密に装着でき、使用時の外への漏れが防止される。
【００１１】
またスライドトレー６１の支軸８７に開閉可能に支承されたフロントガード部６４の開閉機構には、図５に示すごとく、支軸側のラチェット揺動装置７７と軸受部８８側の内周爪部９１の組合せになる、Ｈ方向の閉方向には自由に回動する一方向閉動機構７０が介設されていて、開方向には、エアレリース弁７８による解除機構７１を作動させて逆動させる構成となっている。７９は前記解除機構７１の解除作動エア供給口で、そのエア開閉弁はスライドトレー６１の側面に取り付けられている。従ってトイレ容器２を股間Ｃに装着するときは、フロントガード６４の上部の取っ手５９を、図１２の（１２−４）図に示されるごとく、手前に引き付けて一方向閉動させ、器底部６５との間で股間Ｃを強制的に挟み付けて装着を完了できる。またトイレ容器２を股間Ｃから離脱するときは、エア開閉弁を開き、前記エアレリース弁による解除機構７１を作動させてから取っ手５９を開いて取り外す。
【００１２】
また図１に示すトイレ容器２の支持フレーム５の左右の端部には、使用者Ａが股間Ｃにトイレ容器２を自力で装着し易くするため、左右の大腿部Ｄ、Ｄを保持させる大腿部スタビライザ６、６と左右の腰部Ｂ、Ｂを浮揚させるエアリフト構造の身体確保ユニット４、４がそれぞれ対設されている。図１２のトイレ容器２の装着手順の説明図の（１２−４）図には、使用者Ａが大腿部Ｄ、Ｄを大腿部スタビライザ６、６に保持させ、腰部Ｂ、Ｂを身体確保ユニット４、４で浮揚させて、トイレ容器を股間に簡易かつ好適に装着し終わった状態が図示されている。
【００１３】
本発明のユニット台車３は図６に示すごとく、キャスタ８１、取っ手８３を備えて、床面上に移動自在に設置されている。またその下部収納庫７２には、前記トイレ容器２から排泄物を吸引回収して回収ボトル８（図１０）に搬送保管するための圧縮空気を利用したインジェクション方式の吸引回収ユニット７と前記容器２に温水と泡洗浄液を送給して器官と併せて容器を洗浄するための器官洗浄ユニット１７と器官泡洗浄ユニット１８と、前記受け容器２の洗浄終了後に温風を供給して器官と容器を乾燥するための器官乾燥ユニット１９とが集積されている。また前記各ユニットとトイレ容器２との間は、台車３の上部穴７３から引き出された可撓性の多重管１５に内包された各専用配管を介して接続されている。また収納庫７２には、高圧空気ボンベ１１（又はコンプレッサでもよい）から供給される圧縮空気を利用した集中配管制御装置６０（図１０）が設置され、制御装置１２から発信される制御信号により前記各ユニットは駆動され、多重管１５に内包された各専用配管を介してトイレ容器２の各作用を操作するごとくなっている。
【００１４】
また図９に多重管１５の構造を図示しているが、２４はトイレ容器２から排泄物を前記集中配管制御装置６０に着脱自在に設置された回収ボトル８（図１０）へ直接搬送する排泄物吸引回収ユニット７の排泄物搬送管である。また図中、２１は乾燥用温風管、２２は高圧空気管、２３は低圧空気管、２７は洗浄用温水管、２８は泡洗浄液管、２５はセンサー用ケーブルである。
【００１５】
図１のトイレ容器２の斜視図には、容器２の器底部６５が図示されていて、前記多重管１５に内包された各ユニット（７、１７、１８、１９）の専用配管（２１、２４、２７、２８）とそれぞれ接続される排出用連通穴６９、温水及び泡洗浄の送水用連通穴７４並びに送風用連通穴８６が開口されれているが、本発明はその位置及び形状を限定するものではなく、例えば送水穴７４及び送風穴８６をフロントガード部６４にスリット穴で開口してもよい。またトイレ容器２内には図示されていないが、洗浄終了確認用の臭気センサ３２と乾燥終了確認用の湿度センサ３３が内設されている。
【００１６】
図１０は高圧空気ボンベ１１（コンプレッサでもよい）が供給する圧縮空気を利用した集中配管制御装置６０の構成を示す管路説明図である。本装置６０は制御装置１２から発信される制御信号により駆動され、前記各ユニット（７、１７、１８、１９）の機能を生成して、各専用配管（２１、２４、２７、２８）を介してトイレ容器２の各作用を操作する。図中、高圧空気ボンベ１１から減圧された圧縮空気は元管２０（分配管５８）を介して各ユニットの専用配管に配分され、各ユニットの機能が付加されて、多重管１５に内包される乾燥用温風管２１、真空吸引回収用高圧空気管２２、身体確保ユニット４用及びトイレ容器装着解除機構７１用低圧空気管２３、洗浄用温水管２７、泡洗浄液管２８の各専用配管に送給され利用される。図１０において、５２は一次減圧弁，５０は一次開閉弁，４３は水道源、４４は電源、４５は温水と温風を製造するための電熱装置、５１は二次開閉弁、５３は二次減圧弁、５４は高圧ボンベ１１用の残圧センサ、４８は温度センサ、４９は風量センサ、９２は台車３に着脱自在に設置された回収ボトル８の着脱部である。
【００１７】
図１１は本装置１の動作制御系の要部の実施形態例を示すブロック図である。本装置は使用者が寝床についたままリモコンスイッチ１４により遠隔操作可能なことを特徴とする。本装置を操作制御する制御装置１２は、入力部、出力部、記憶部及び演算処理部からなり、赤外線スイッチ構造のリモコンスイッチ１４（装置１２への入力信号源は図８に詳示する）によるスタンバイ３４、予洗３５、泡洗浄吸引３６、温洗浄吸引３７、乾燥３８、停止４０、終了３９の操作釦信号と残圧センサ５４、排泄物満杯センサ５５、臭気センサ３２、温度センサ３３のセンサ群からの検知信号の入力を受けて、スタンバイ３４、脱臭ユニット作動３０、予洗３５、泡洗浄３６、温水洗浄３７、排泄物吸引７、温風乾燥１９、停止４０、終了３９の駆動回路群に出力信号を発信している。５６がリモコンスイッチ１４の発光部、５７が受光部である。
【００１８】
図８は本制御系の要部（図１１）に使用されるリモコンスイッチ１４の説明図で、本スイッチにはスタンバイ３４、予洗３５、泡洗浄吸引３６、温洗浄吸引３７、乾燥３８、停止４０、終了３９の各操作釦と洗浄ＯＫ４１、乾燥ＯＫ４２の各表示ランプが配設されている。
【００１９】
図４は排泄物吸引回収ユニット７のインジェクション用圧縮空気吹き出し装置の構造図であって、多重管１５内の排泄物搬送管２４の先端部と容器２の排出用連通穴６９との管接続部６７に内設され、二重管７６による管内全周面逆噴射構造を特徴とする。矢印Ｅ方向に高圧空気管２２内を送気される圧縮空気は、エア供給口７５から排泄物搬送管２４の二重管７６内へ供給されて、管内全周面をＦ方向に逆噴射し、その全周面に対する真空吸引効果によりトイレ容器２から排泄物、洗浄液及び臭気を吸引し、回収ボトル８のあるＧ方向へ有効に搬送する。
【００２０】
図６及び図７に示されるごとく、前記ユニット台車３の上部には、トイレ容器２の装着保管装置９が設置されていて、寝床面４６に対する股間Ｃの関係と同様に、ユニット台車３の載置面８０には、股間に相当した形状の当接ブロック１３が形設され、使用者がトイレ容器２を載置面８０上に置き、その開口部１０を前記当接ブロック１３に当接させ、フロントガード部６４の一方向閉動で当接ブロック１３に強制装着できる構造となっている。また装着保管後は、トイレ容器２に対して股間の場合と同様の操作で、補足的な洗浄及び乾燥が可能である。
【００２１】
本発明は使用者が寝たまま自力で、先ず、本装置のトイレ容器２を股間Ｃに装着可能であり、次に使用時は、リモコンスイッチ１４によりユニット台車３に集積された吸引回収７、洗浄１７、１８及び乾燥１９の各ユニットを制御して、容器２内の排泄物の吸引回収から器官と容器２内の洗浄、乾燥まで順次に遠隔操作可能であり、次に使用後は、洗浄及び乾燥を完了したトイレ容器２を股間Ｃから離脱して、ユニット台車３に装着保管可能であることを特徴としているが、以下に、使用者が寝たまま本装置１を使用して排泄する場合の、使い方の手順について説明する。
【００２２】
（１）先ず、使用者Ａが寝たままトイレ容器２を股間Ｃに装着する手順について、図１２の説明図に基づき説明する。
（１２−１）  使用者Ａは支持フレーム５に支持されたトイレ容器２を移動自在のユニット台車３から寝床面４６に取り出して、股間Ｃの前方に置く。
（１２−２）  取っ手３１で支持フレーム５を引き寄せ、左右の大腿部スタビライザ６、６を使用者の大腿部Ｄ、Ｄに当てる。
（１２−３）  リモコンスイッチ１４のスタンバイ釦３４を押して、身体確保ユニット４と共に腰部Ｂを浮揚させ、取っ手５９でトイレ容器２を引き寄せ、そのフロントガード部６４と器底部６５を股間Ｃに当接する
（１２−４）  取っ手５９を手前に引き付けてフロントガード部６４を一方向閉動させて、器底部６５との間で股間Ｃを強制的に挟み付け、トイレ容器２の装着が完了する。
【００２３】
（２）トイレ容器２を装着して排泄準備を完了した使用者は、リモコンスィッチ１４を使って、以下の手順で、排泄物の吸引回収から器官と容器内の洗浄及び乾燥まで遠隔操作する。
（３）トイレ容器装着時に、装着を容易にするためスタンバイ釦３４を押して腰部Ｂを浮揚させるが、スタンバイ釦を押すと、エアリフト構造の身体確保ユニット４へ低圧空気管２３から低圧の圧縮空気が供給され、浮揚する。またスタンバイ釦３４により脱臭ユニットも作動する。また終了釦３９を押すまで身体確保ユニットは作動し、使用者の腰部Ｂを浮揚させて、排泄動作に好適な姿勢を保持する。
（４）そこで予洗釦３５を押す。器官洗浄ユニット１７から温水がトイレ容器２内に供給され、汚れ防止のための濡れ度が高められ，排泄環境が整えられる。なお予洗の作動時間はタイマ４７により設定される。
【００２４】
（５）使用者は排泄を開始すると共に，泡洗浄・吸引釦３６と温水洗浄・吸引釦３７を押す。吸引回収ユニット７，器官温水洗浄ユニット１７と器官泡洗浄ユニット１８が一斉に作動を開始し、容器２内に温水と泡洗浄液を給送し、器官と併せて容器の洗浄が開始されると共に、圧縮空気ボンベ１１（又はコンプレッサ）より元管２０を介して減圧された高圧の圧縮空気が多重管１５に内包された高圧空気管２２を通って、回収ユニット７の排泄物搬送管２４の管接続部６７に内設されたインジェクション用圧縮空気吹出し装置１６（図４）に送給され、管２４内に逆噴射されて、その真空吸引効果により、トイレ容器２内の排泄物、洗浄液及び臭気の吸引回収を開始して、回収ボトル８へ搬送する。
（６）使用者の排泄中、継続的に洗浄，回収が実施されると共に、臭気の漏洩も防止される。
（７）容器２から排泄物が回収されると、洗浄の完了を容器２に内設の臭気センサ３２が確認し、リモコンスイッチ１４の表示部４１に洗浄ＯＫを表示する。
【００２５】
（８）そこで乾燥釦３８を押す。回収ユニット７、器官洗浄ユニット１７及び１８の作動が停止し、器官乾燥ユニット１９が作動を開始する。
（９）容器２内には温風管２１を通って温風が供給され、器官と容器内を乾燥する。容器２内の湿度センサ３３が乾燥を確認すると，リモコンスイッチ１４の表示部４２に乾燥ＯＫを表示する。
【００２６】
（１０）そこで終了釦３９を押す。低圧空気管２３からの圧縮空気の供給が停止され、身体確保ユニット４の空気は排気されて、使用者は排泄姿勢から解除される。
（１１）そこでスライドトレー６１に取り付けた解除機構７１のエア開閉弁を開いて、低圧空気管２３からの圧縮空気を解除機構７１に送給し、フロントガード部６４の股間に対する強制挟み付けから開放する。
（１２）トイレ容器２及び支持フレーム５は取り外され、図１２の（１２−１）図の状態に戻される。
【００２７】
（１３）次にこれら離脱したトイレ容器２及び支持フレーム５は、ユニット台車３の上部の装着保管装置９に装着保管されるが、その開口部１０を装置９の当接ブロック１３に当接させ、股間Ｃに装着する場合と同様に強制的に挟み付けて、装着保管する。
【００２８】
（１４）また使用者が前記スタンバイ３４から乾燥３８までの何れかの動作ステップの途中で、緊急停止したいときは、非常停止釦４０を押して停止させる。
（１５）またユニット台車３に装着保管したトイレ容器２にまだ汚れや臭気が残っているときは、リモコンスイッチ１４を用い、補足的に洗浄及び乾燥することができる。
（１６）また強制排気弁２９及び脱臭ユニット３０を停止するときも停止ボタン２７を押す。
【００２９】
【発明の効果】
本発明は以上のごとく構成されているので、以下の種々の効果を奏することができる。
（１）常に自力で排泄できるので自己の尊厳性を守れる。
（２）使用者は寝たままにも拘わらず、トイレ容器の着脱、保管から排泄物の回収、器官と容器内の洗浄、乾燥までの排泄処理を自力で可能で、看護人には満杯が検知された排泄物の回収ボトル８の廃棄処理、残圧が僅かになった高圧空気ボンベの交換、電源の接続、温水、温風の適温設定、適度の風量設定の操作を依頼するだけでよいから、使用者（患者）の主体性が維持できる。
（３）本発明の自力真空水洗トイレは、身体確保ユニットによるトイレ容器の装着支援と好適な排泄姿勢の保持、圧縮空気を利用した二重管構造のインジェクション方式排泄物吸引回収ユニット、上下二部体を開閉して挟み付けるトイレ容器の装着機構、温水及び泡洗浄、温風乾燥の各ユニットによる器官とトイレ容器の清潔性の維持、リモコンスイッチによる簡易な遠隔操作、等の斬新で優れた機能を有するので、寝たままの患者に対して従来の健康人の水洗トイレと同等、又はそれ以上の快適な利用環境を提供できる。
【図面の簡単な説明】
【図１】  本発明の自力真空水洗トイレのトイレ容器の斜視図。
【図２】  トイレ容器のフロントガード部と器底部の開閉状態を示す側面図。
【図３】  トイレ容器の内部構造を示す中央断面図。
【図４】  インジェクション用圧縮空気吹出し装置の構造図。
【図５】  フロントガード部の一方向閉動機構及びその解除機構の構造図。
【図６】  トイレ容器の装着保管装置を設置したユニット台車の斜視図。
【図７】  ユニット台車にトイレ容器を装着保管した状態を示す斜視図であると共に、本発明の自力真空水洗トイレの全体斜視図である。
【図８】  本装置に使用されるリモコンスィッチの説明図。
【図９】  各ユニットの専用配管を内包した多重管の説明図。
【図１０】  本装置の高圧空気ボンベを利用した集中配管制御装置の説明図。
【図１１】  本装置の動作制御を示すブロック図。
【図１２】  使用者が寝たままトイレ容器を股間に装着する手順の説明図であって、（１２−１）のトイレ容器２の取り出しから、（１２−２）の大腿部スタビライザ６の当接、（１２−３）の身体確保ユニット４による腰部の浮揚、（１２−４）のフロントガード部６４の強制挟み付けによる股間Ｃへの装着までの手順を図示する。
【符号の説明】
Ａ  使用者
Ｂ  腰部
Ｃ  股間
Ｄ  大腿部（左右）
Ｅ  供給方向
Ｆ  逆噴射方向
Ｇ  真空吸引方向
Ｈ  一方向閉動の方向
１  自力真空水洗トイレ（本装置）
２  トイレ容器
３  ユニット台車
４  身体確保ユニット（エアリフト）
５  支持フレーム
６  大腿部スタビライザ（左右）
７  排泄物吸引回収ユニット
８  排泄物の回収ボトル
９  装着保管装置
１０  開口部
１１  高圧空気ボンベ
１２  制御装置
１３  当接ブロック
１４  リモコンスイッチ
１５  多重管
１６  インジェクション用圧縮空気吹出し装置
１７  器官洗浄ユニット（温水）
１８  器官泡洗浄ユニット（泡洗浄液）
１９  器官乾燥ユニット
２０  給気元管
２６  環状シール材
２９  強制排気弁
３０  脱臭ユニット
３１  取っ手（引き寄せ用）
４３  水道
４４  電源
４５  電熱装置
４６  寝床面
４７  設定タイマ（予洗）
４８  温度センサ
４９  風量センサ
５８  分配管
５９  取っ手（引き付け用）
６０  集中配管制御装置
６１  スライドトレー
６２  中央溝部
６３  左右端部
６４  フロントガード部
６５  器底部
６６  ひだ部
６７  管接続部
６８  枢着ピン
６９  排出用連通穴
７０  一方向閉動機構
７１  エアレリース弁による解除機構
７２  下部収納庫
７３  上部穴
７４  送水用連通穴
７５  エア供給口
７６  二重管
７７  ラチェット揺動装置
７８  エアレリース弁
７９  解除作動エア供給口
８０  載置面
８２  泡洗浄液
８４  扉
８５  係止用段部
８６  送風用連通穴
８７  支軸
８８  軸受部
８９  開いた状態のフロントガード部
９０  開いた状態の器底部
９１  内周爪部
【図１】
0004207144.tif 000002
【図２】
0004207144.tif 000003
【図３】
0004207144.tif 000004
【図４】
0004207144.tif 000005
【図５】
0004207144.tif 000006
【図６】
0004207144.tif 000007
【図７】
0004207144.tif 000008
【図８】
0004207144.tif 000009
【図９】
0004207144.tif 000010
【図１０】
0004207144.tif 000011
【図１１】
0004207144.tif 000012
【図１２】
0004207144.tif 000013